(57)【要約】【課題】警告表示の細部表現性に優れ、かつ警告表示の色設定の自由度が高く、積層構造が簡単で加工工程数が少なく、製造コストを低減し得る隠蔽シールを提供する。【解決手段】不透明な基材シート２の裏面に、該基材シート２から剥離可能な透明若しくは半透明の合成樹脂層３を設け、該合成樹脂層３の下面に透明若しくは半透明の粘着層５を積層するとともに、該粘着層５の下面に有色インキを所定形態で印刷してなる視認インキ層６を形成することにより隠蔽シール１を構成した。【選択図】図２
2011107356.tif 000002
【特許請求の範囲】
【請求項１】
秘匿情報が記載された秘匿情報記載面に貼着されて該秘匿情報を隠蔽する隠蔽シールであって、
不透明な基材シートの裏面に、該基材シートから剥離可能な透明若しくは半透明の合成樹脂層が設けられ、該合成樹脂層の下面に透明若しくは半透明の粘着層が積層されるとともに、該粘着層の下面に有色インキを所定形態で印刷してなる視認インキ層が形成されてなり、前記粘着層の粘着力によって秘匿情報記載面に貼着された状態で、基材シートが剥離されると、透明若しくは半透明の合成樹脂層及び粘着層を介して視認インキ層が視認可能となることを特徴とする隠蔽シール。
【請求項２】
粘着層に剥離可能な保護シートが貼着されていることを特徴とする請求項１記載の隠蔽シール。
【請求項３】
視認インキ層が、基材シートが剥離されたことを報知する警告表示形態であることを特徴とする請求項１又は請求項２記載の隠蔽シール。
【請求項４】
視認インキ層が、不透明インキからなり、秘匿情報記載面の秘匿情報を遮蔽可能な遮蔽形態であることを特徴とする請求項１又は請求項２記載の隠蔽シール。
【請求項５】
粘着層の一端部に、所定パターンでインキを印刷することにより、該粘着層の粘着力を減少又は消失させた摘み部層が形成されていることを特徴とする請求項１乃至請求項４の何れか１項に記載の隠蔽シール。
【請求項６】
基材シートが、その表面及び／又は裏面に不透明インキをベタ印刷してなる透視防止層を備えていることを特徴とする請求項１乃至請求項５の何れか１項に記載の隠蔽シール。
【発明の詳細な説明】
【技術分野】
【０００１】
本発明は、秘匿情報が記載された秘匿情報記載面に貼着されて該秘匿情報を隠蔽する隠蔽シールに関する。
【背景技術】
【０００２】
金融機関の口座開設申込書に記載した暗証番号や、パソコン通信においてホスト側から郵送される通知書に記載されたパスワード等の秘匿情報を隠蔽するために、その秘匿情報記載面に貼着する隠蔽シールが知られている（例えば、特許文献１参照）。
【０００３】
この隠蔽シールａは、図７（Ａ）に示すように、裏面に粘着剤からなる貼着層ｃを形成した透明または半透明の樹脂フィルムからなる基板シートｂと、該基板シートｂの表面側に配置される表面シートｄとを備え、該表面シートｄの裏面に、離型剤によって警告表示を印刷することにより剥離容易な離型部ｅを形成するとともに、該離型部ｅの形成部分を含めて表面シートｄの裏面全面に亘って不透明インキによる印刷またはアルミ真空蒸着によって不透明層ｆを形成し、さらに該不透明層ｆの下面に粘着剤からなる表面貼着層ｇを形成して、該表面貼着層ｇによって表面シートｄを基板シートｂの表面に貼着するようにしている。
【０００４】
かかる構成からなる隠蔽シールａにあって、暗証番号やパスワード等の秘匿情報が記載された秘匿情報記載面に貼着層ｃの貼着力を介して隠蔽シールａを貼着すると、秘匿情報が不透明層ｆによって遮蔽されることによって、正当権限者に届くまでの間における盗視や複写による秘匿情報の盗用を防止することができる。また、第三者によって隠蔽シールａの剥離が行われた場合には、図７（Ｂ）に示すように、基板シートｂが秘匿情報記載面に貼着されたままとなり、表面シートｄのみが剥離される。ここで、表面シートｄの裏面には警告表示形態で離型部ｅが形成されていることにより、この離型部ｅの形成部分に位置する不透明層ｆ部分が、その下部の表面貼着層ｇ部分の貼着力を介して離型部ｅから剥離して基板シートｂの表面上に残留し、警告表示が現出することとなる。これにより、正当権限者は隠蔽シールａが第三者によって剥離されたことを知得することができ、暗証番号やパスワードを変更する等の対策を直ちに取ることが可能となっている。
【先行技術文献】
【特許文献】
【０００５】
【特許文献１】特許第２９５８２６５号公報
【発明の概要】
【発明が解決しようとする課題】
【０００６】
ところで、従来構成の隠蔽シールａにあっては、表面シートｄの剥離に際して、表面貼着層ｇの貼着力を介して不透明層ｆを部分的に基板シートｂ上に残留させることによって警告表示を現出させるものであり、換言すれば、表面シートｄの裏面全面に設けられた不透明インキ印刷層やアルミ真空蒸着層からなる不透明層ｆを部分的に分離させて警告表示を形成するものであるため、文字等の細部表現が難しく、また、警告表示の色設定の自由度も低いという問題点があった。
【０００７】
また、従来構成の隠蔽シールａにあっては、基板シートｂと、該基板シートｂの表面側に配置される表面シートｄの二枚のシートを必要とする上、基板シートｂの裏面に貼着層ｃを形成する一方、表面シートｄの裏面に離型部ｅ、不透明層ｆ、表面貼着層ｇを順に形成した後、該表面シートｄをその最下部に設けた表面貼着層ｇの貼着力を介して基板シートｂ上に貼着する必要があるため、加工工程数及び使用材料が多く、製造コストが高いという問題点があった。
【０００８】
本発明は、かかる従来の実状に鑑みてなされたものであって、警告表示の細部表現性に優れ、かつ警告表示の色設定の自由度が高く、積層構造が簡単で加工工程数が少なく、製造コストを低減し得る隠蔽シールを提供することを目的とするものである。
【課題を解決するための手段】
【０００９】
本発明は、秘匿情報が記載された秘匿情報記載面に貼着されて該秘匿情報を隠蔽する隠蔽シールであって、不透明な基材シートの裏面に、該基材シートから剥離可能な透明若しくは半透明の合成樹脂層が設けられ、該合成樹脂層の下面に透明若しくは半透明の粘着層が積層されるとともに、該粘着層の下面に有色インキを所定形態で印刷してなる視認インキ層が形成されてなり、前記粘着層の粘着力によって秘匿情報記載面に貼着された状態で、基材シートが剥離されると、透明若しくは半透明の合成樹脂層及び粘着層を介して視認インキ層が視認可能となることを特徴とする隠蔽シールである。
【００１０】
ここで、基材シートの裏面に設けられる合成樹脂層を該基材シートから剥離可能とするには、該合成樹脂層を構成する合成樹脂として易剥離接着性を有する合成樹脂を用いたり、易剥離接着性でない合成樹脂を用いる場合には、合成樹脂層と基材シート間に弱接着層を設けて該合成樹脂層と基材シートとを弱接着することによりなし得る。
【００１１】
前記隠蔽シールにあって、粘着層に剥離可能な保護シートが貼着されている構成が提案され得る。
【００１２】
また、視認インキ層が、基材シートが剥離されたことを報知する警告表示形態である構成が提案され得る。
【００１３】
また、視認インキ層が、不透明インキからなり、秘匿情報記載面の秘匿情報を遮蔽可能な遮蔽形態である構成が提案され得る。
【００１４】
また、粘着層の一端部に、所定パターンでインキを印刷することにより、該粘着層の粘着力を減少又は消失させた摘み部層が形成されている構成が提案され得る。
【００１５】
さらに、基材シートが、その表面及び／又は裏面に不透明インキをベタ印刷してなる透視防止層を備えている構成が提案され得る。
【発明の効果】
【００１６】
本発明は、上述したように、不透明な基材シートの裏面に、該基材シートから剥離可能な透明若しくは半透明の合成樹脂層が設けられ、該合成樹脂層の下面に透明若しくは半透明の粘着層が積層されるとともに、該粘着層の下面に有色インキを所定形態で印刷してなる視認インキ層が形成されてなり、前記粘着層の粘着力によって秘匿情報記載面に貼着された状態で、基材シートが剥離されると、透明若しくは半透明の合成樹脂層及び粘着層を介して視認インキ層が視認可能となる隠蔽シールであるから、暗証番号やパスワード等の秘匿情報が記載された秘匿情報記載面に粘着層の粘着力を介して隠蔽シールを貼着すると、不透明な基材シートによって秘匿情報が遮蔽されることによって、正当権限者に届くまでの間における秘匿情報の秘匿性を保全することができる。また、第三者が隠蔽シールを剥離しようとした場合には、合成樹脂層が粘着層の粘着力によって秘匿情報記載面に貼着されたままで、基材シートのみが合成樹脂層から剥離され、透明若しくは半透明の合成樹脂層及び粘着層を介して視認インキ層が視認可能となる。ここで、視認インキ層は、有色インキを所定形態で印刷してなるものであるため、例えば、基材シートが剥離されたことを示す報知文字形態で視認インキ層を形成しておくことによって、その報知文字が表示されることとなる。これにより、正当権限者は隠蔽シールが第三者によって剥離されたことを知得することができ、暗証番号やパスワードの秘匿性の喪失に対処することができる。
【００１７】
そして、本発明にあっては、基材シートが剥離された場合に視認可能となる視認インキ層を、有色インキの印刷によって粘着層に直接形成するものであるため、文字等の細部表現性に優れ、明瞭な表示を行うことができるとともに、視認インキ層の色及びデザインの選択も自由に行うことができる。
【００１８】
また、本発明にあっては、隠蔽シールの基本構成として、シート状のものは基材シート一枚だけであり、該基材シートの裏面に合成樹脂層、粘着層が順に積層され、粘着層の下面に視認インキ層が形成されてなるものであるから、従来構成に比して加工工程数及び使用材料が少なくて済み、構成が簡単で製造が容易であるため、製造コストを低減することができる。
【００１９】
前記隠蔽シールにあって、粘着層に剥離可能な保護シートが貼着されている構成にあっては、隠蔽シールを使用するまでの間、保護シートによって粘着層を保護することができ、粘着層が露出しないため取扱い性に優れたものとなる。
【００２０】
また、視認インキ層が、基材シートが剥離されたことを報知する警告表示形態である構成にあっては、基材シートが剥離されると警告表示が視認可能となるため、正当権限者は基材シートが第三者によって剥離されたことを容易に知得することができる。ここで、視認インキ層の上から秘匿情報が透けて見えるようにするために、視認インキ層は薄く印刷しておくことが好ましい。これにより、正当権限者が基材シートを剥離した場合には、そのままで秘匿情報の目視確認が可能となる。
【００２１】
また、視認インキ層が、不透明インキからなり、秘匿情報記載面の秘匿情報を遮蔽可能な遮蔽形態である構成にあっては、基材シートが第三者によって剥離されても遮蔽形態の視認インキ層によって秘匿情報が遮蔽されていることにより、該秘匿情報を視認不能とすることができる。また、視認インキ層が視認可能な状態になっていることにより、正当権限者は基材シートが第三者によって剥離されたことを容易に知得することができる。一方、下面に遮蔽形態の視認インキ層が形成された粘着層は、その粘着力が遮蔽形態の視認インキ層によって弱められているため、基材シートを正当権限者が剥離した場合には、視認可能となった視認インキ層に対応する合成樹脂層部分を爪等で擦ることによって、該合成樹脂層部分とともに粘着層及び視認インキ層を除去することができ、これによって秘匿情報の目視確認が可能となる。
【００２２】
また、粘着層の一端部に、所定パターンでインキを印刷することにより、該粘着層の粘着力を減少又は消失させた摘み部層が形成されている構成にあっては、摘み部層を指先で摘むことによって基材シートの剥離を容易に行うことができる。
【００２３】
さらに、基材シートが、その表面及び／又は裏面に不透明インキをベタ印刷してなる透視防止層を備えている構成にあっては、秘匿情報記載面に隠蔽シールが貼着された被着物を光にかざして秘匿情報を透視する不正盗用を防止することができる。
【図面の簡単な説明】
【００２４】
【図１】（Ａ）は第一実施例にかかる隠蔽シール１の縦断面図、（Ｂ）は基材シート２と合成樹脂層３との間に弱接着層４を設けた構成を示す隠蔽シール１の縦断面図である。
【図２】（Ａ）は基材シート２の剥離操作を示す隠蔽シール１の縦断面図、（Ｂ）は基材シート２が剥離された状態を示す隠蔽シール１の縦断面図である。
【図３】（Ａ）は隠蔽シール１の貼着状態を示す平面図、（Ｂ）は基材シート２が剥離された状態を示す平面図である。
【図４】第二実施例にかかる隠蔽シール１の縦断面図である。
【図５】（Ａ）は遮蔽形態の視認インキ層６が視認可能となった状態を示す説明図、（Ｂ）は秘匿情報１０が視認可能となった状態を示す説明図である。
【図６】第三実施例にかかる隠蔽シール１の縦断面図である。
【図７】（Ａ）は従来構成の隠蔽シールａの縦断面図、（Ｂ）は表面シートｄの剥離過程を示す縦断面図である。
【発明を実施するための形態】
【００２５】
以下に、本発明の第一実施例を、図１〜図３に基づいて説明する。
隠蔽シール１は、図１（Ａ）に示すように、不透明な基材シート２を備えている。該基材シート２には上質紙が用いられており、秘匿情報記載面１１（図３（Ｂ）参照）に記載された秘匿情報１０を被覆可能な大きさの帯片状に形成されている。基材シート２の裏面には、透明若しくは半透明の合成樹脂層３が設けられている。該合成樹脂層３は、易剥離接着性を有するオレフィン系樹脂等の公知の合成樹脂をコーター等の塗工機によって塗工した後、凝固させることにより設けられており、この合成樹脂が有する易剥離接着性によって基材シート２の裏面に接着され、かつ、その接着力が比較的弱いことにより基材シート２から容易に剥離可能となっている。尚、合成樹脂層３には易剥離接着性でない合成樹脂を用いることもでき、この場合には、図１（Ｂ）に示すように、基材シート２と合成樹脂層３との間に弱接着層４を設けることにより、基材シート２から合成樹脂層３を剥離可能とすることができる。
【００２６】
前記合成樹脂層３の下面には、透明若しくは半透明の粘着剤を塗工してなる粘着層５が積層されている。ここで、該粘着層５には、その粘着力が前記易剥離接着性の合成樹脂層３または弱接着層４の接着力より大きい粘着剤が用いられており、これによって、後述するように、隠蔽シール１の剥離時に、合成樹脂層３が粘着層５によって被着面に貼着された状態で、基材シート２のみが剥離されるようにしている。
【００２７】
さらに、前記粘着層５の下面には、有色インキを所定形態で印刷してなる視認インキ層６が形成されている。この第一実施例では、該視認インキ層６が、基材シート２が剥離されたことを報知する「開封無効」，「開封済み」等の文字や記号等からなる警告表示形態となっている。ここで、視認インキ層６を文字とする場合には、粘着層５の上面側から判読可能なように文字の表裏を反転させて粘着層５の下面に印刷される。また、秘匿情報１０（図３（Ｂ）参照）が透けて見えるようにするために、視認インキ層６は薄く印刷されている。
【００２８】
また、前記粘着層５の下面の一端部には、所定パターンでインキを印刷することにより、該粘着層５の粘着力を減少又は消失させた摘み部層７が形成されている。該摘み部層７は、ベタ印刷や網点線数を変えて印刷することで、粘着層５の粘着力を調整することができるものとなっている。
【００２９】
上記のように形成された隠蔽シール１には、剥離可能な保護シート８が粘着層５に貼着される。該保護シート８は、粘着層５との被着面にシリコーン樹脂層９を備えた剥離紙からなり、該保護シート８を粘着層５に貼着しておくことにより、隠蔽シール１を使用するまでの間、保護シート８によって粘着層５を保護することができ、粘着層５が露出しないため取扱い性に優れたものとなる。
【００３０】
かかる構成にあって、暗証番号やパスワード等の秘匿情報１０（図３（Ｂ）参照）が記載された秘匿情報記載面１１に粘着層５の粘着力を介して隠蔽シール１を貼着すると、図３（Ａ）に示すように、不透明な基材シート２によって秘匿情報１０が遮蔽されることによって、正当権限者に届くまでの間における秘匿情報１０の秘匿性を保全することができる。ここで、基材シート２の表面に設けられている捺印部１３と周囲の被着面にかけて割り印１４を押印しておくことにより、秘匿性が保全されていることを明確とすることができる。この状態にあって、第三者が隠蔽シール１を剥離しようとした場合には、図２（Ｂ）に示すように、合成樹脂層３が粘着層５の粘着力によって秘匿情報記載面１１に貼着されたままで、基材シート２のみが合成樹脂層３から剥離される。この時、図２（Ａ）に示すように、粘着層５の一端部に形成されている摘み部層７を指先で摘んで上方に引き上げると、該摘み部層７が形成されている粘着層５部分と、該摘み部層７に隣接する粘着層５との境目付近の上部に位置する合成樹脂層３部分に剪断応力が発生し、合成樹脂層３をその部分で破断させることができる。そして、このように破断した合成樹脂層３の破断片３’は基材シート２とともに除去され、残りの大部分の合成樹脂層３が粘着層５の粘着力を介して秘匿情報記載面１１上に残留することとなる。また、合成樹脂層３は基材シート２が剥離されると接着力が消失するため、基材シート２を合成樹脂層３に再度接着することはできなくなる。これにより、図３（Ｂ）に示すように、透明若しくは半透明の合成樹脂層３及び粘着層５を介して視認インキ層６が視認可能となる。ここで、視認インキ層６は、基材シート２が剥離されたことを報知する文字等からなる警告表示形態で形成されていることにより、正当権限者は隠蔽シール１が第三者によって剥離されたことを知得することができ、暗証番号やパスワードを直ちに新規なものに変更する手続を取る等、その秘匿性の喪失に対処することができる。また、正当権限者自身が基材シート２を剥離した場合には、視認インキ層６の上から秘匿情報１０が透けて見えるため、そのままで秘匿情報１０の目視確認をすることができる。
【００３１】
そして、本発明にあっては、基材シート２が剥離された場合に視認可能となる視認インキ層６を、有色インキの印刷によって直接粘着層５上に形成するものであるため、文字等の細部表現性が極めて高く、明瞭な表示を行うことができるとともに、視認インキ層６の色及びデザインの選択も自由に行うことができる。
【００３２】
また、本発明にあっては、隠蔽シール１の基本構成として、シート状のものは基材シート２一枚だけであり、該基材シート２の裏面に合成樹脂層３、粘着層５が順に積層され、粘着層５の下面に視認インキ層６が印刷形成されており、摘み部層７も視認インキ層６と同時に粘着層５の下面に印刷形成できるため、従来構成に比して加工工程数及び使用材料が少なくて済み、構成が簡単で製造が容易であるため、製造コストを低減することができる。
【００３３】
図４，図５は、第二実施例を示し、この第二実施例は、粘着層５の下面に印刷形成される視認インキ層６を、秘匿情報記載面１１の秘匿情報１０を遮蔽可能な遮蔽形態としたものである。ここで、視認インキ層６は、不透明インキによってベタ印刷またはこれに相当する濃さの網点で印刷されており、図５（Ａ）に示すように、秘匿情報１０を覆い得る形状となっている。
【００３４】
かかる構成にあって、基材シート２が第三者によって剥離されると、図５（Ａ）に示すように、視認インキ層６が視認可能となるが、該視認インキ層６が遮蔽形態で形成されていることにより、秘匿情報１０（図５（Ｂ）参照）を視認不能とすることができる。これにより、基材シート２が剥離されても秘匿情報１０の隠蔽作用を維持することができる。また、視認インキ層６が視認可能な状態になっていることにより、正当権限者は基材シート２が第三者によって剥離されたことを容易に知得することができる。一方、下面に遮蔽形態の視認インキ層６が形成された粘着層５は、その粘着力が遮蔽形態の視認インキ層６によって弱められているため、基材シート２を正当権限者が剥離した場合には、視認可能となった視認インキ層６に対応する合成樹脂層３部分を爪等で擦ることによって、合成樹脂層３とともに粘着層５及び視認インキ層６を除去することができ、これにより、図５（Ｂ）に示すように、秘匿情報１０が視認可能となって該秘匿情報１０の目視確認を行うことができる。
【００３５】
図６は、第三実施例を示し、この第三実施例は、基材シート２の裏面に不透明インキをベタ印刷することによって透視防止層１２を形成したものである。この不透明インキには黒色等の暗色系の色インキが好適に用いられる。
【００３６】
かかる構成にあっては、秘匿情報記載面１１に隠蔽シール１が貼着された被着物を光にかざしても、透視防止層１２によって光が遮断されることにより、内部の秘匿情報１０を透視する不正盗用を防止することができる。
【００３７】
尚、前記透視防止層１２は、基材シート２の裏面だけでなく、基材シート２の表面または表裏両面に形成することも可能である。
【００３８】
また、第一実施例においては、基材シート２の材質を上質紙としたが、基材シート２の材質は上質紙に限定されず、普通紙，合成紙，合成樹脂を用いることができる。尚、基材シート２の材質に合成樹脂を用いる場合にあって、捺印性を付与するには、基材シート２の表面に紙を貼着して捺印部１３（図３（Ａ）参照）を形成すればよい。
【符号の説明】
【００３９】
１  隠蔽シール
２  基材シート
３  合成樹脂層
５  粘着層
６  視認インキ層
７  摘み部層
８  保護シート
１０  秘匿情報
１１  秘匿情報記載面
１２  透視防止層
【図１】
2011107356.tif 000003
【図２】
2011107356.tif 000004
【図３】
2011107356.tif 000005
【図４】
2011107356.tif 000006
【図５】
2011107356.tif 000007
【図６】
2011107356.tif 000008
【図７】
2011107356.tif 000009